(57)【要約】【課題】花粉対応が可能で、カバー体を取り付けたまま、テンプル部をスムーズに折りたたむことができる防塵用メガネ体を提供することを目的とする。【解決手段】本発明は、鼻当部１２を有する本体リム部１１とレンズ部１３とテンプル部１４とを備えたメガネ本体部１と、メガネ本体部１に後方から着脱が自在であるカバー体２と、よりなる防塵用メガネ体Ａであって、カバー体２はカバー体リム部２１とカバー体リム部２１の端部から後方に起立するフード部２２を備えており、フード部２２にはテンプル部１４を逃がすための切り欠き部２３が形成されており、鼻当部１２には、カバー体リム部２１の一部を嵌合するための細溝１２ａが形成されている防塵用メガネ体Ａ。【選択図】図４
2020067513.tif 000002
【特許請求の範囲】
【請求項１】
鼻当部を有する本体リム部とレンズ部とテンプル部とを備えたメガネ本体部と、
該メガネ本体部に後方から着脱が自在であるカバー体と、よりなる防塵用メガネ体であって、
該カバー体はカバー体リム部と該カバー体リム部の端部から後方に起立するフード部を備えており、
該フード部には前記テンプル部を逃がすための切り欠き部が形成されており、
前記鼻当部には、前記カバー体リム部の一部を嵌合するための細溝が形成されている防塵用メガネ体。
【請求項２】
前記カバー体リム部の一部が細く形成されている請求項１記載の防塵用メガネ体。
【請求項３】
前記本体リム部と前記鼻当部とが一体に形成されている請求項１又は２に記載の防塵用メガネ体。
【請求項４】
前記メガネ本体部と前記カバー体とが、更に磁着手段を介して取り付けられている請求項１〜３のいずれか１項に記載の防塵用メガネ体。
【請求項５】
前記磁着手段が前記本体リム部の中央に位置するブリッジ部と両端部の３箇所に設けられている請求項４記載の防塵用メガネ体。
【請求項６】
前記カバー体が透明となっている請求項１〜５のいずれか１項に記載の防塵用メガネ体。
【発明の詳細な説明】
【技術分野】
【０００１】
本発明は花粉対策等に用いられる防塵用メガネ体に関し、更に詳しくは花粉対応が可能で、カバー体を取り付けたまま、テンプル部をスムーズに折りたたむことができる防塵用メガネ体に関する。
【背景技術】
【０００２】
近年、我が国において花粉症が流行っている。
花粉症は目や鼻に不快感を生じさせるものであり、全ての世代に渡って患者数が多い疾病となっている。
この花粉症は、ピークの時期等には、特に目のかゆみにより日常生活に支障をきたすことがある。
そのため様々な花粉対策グッズが市販されているが、目の周りを覆うことにより、花粉自体が目に侵入することを物理的に阻止する防塵用メガネが提供されている。
【０００３】
この防塵用メガネには、例えば、特許文献１に記載されているように、実験用や工業用のゴーグルのように、メガネと顔の間の空間を覆うカバーをメガネと一体に設けたものがある。
【０００４】
更に、通常用いるメガネに、着脱自在なカバー部分を設けたタイプのものも開発されている。
例えば、特許文献２に記載されているメガネは、そのメガネ本体の後方から、すなわちメガネ装着時における顔側から、目の周囲を覆うためのメガネ用防塵部材を取り付けて用いるものである。
【先行技術文献】
【特許文献】
【０００５】
【特許文献１】特開２０１５−１２１７９４号公報
【特許文献２】特開２０１４−１７４４９８号公報
【０００６】
ところが、特許文献１のようにカバーと一体となっているメガネは、カバーの部分が特に目立ち易く、通常のメガネと外観が大きく異なるため、日常的に使用するには違和感があり不都合が大きい。
また、レンズとカバーを分離できないため、例えば、度付きのレンズを用いたい場合や、視力の変化があった場合には、その都度新しいものを用意しなければならない不便さがある。
【０００７】
一方、特許文献２のように、メガネ用防塵部材をメガネの後方に取り付けるものは、テンプル部を折りたたむ際に、カバーとの干渉が生じ、カバーを取り付けたままメガネを内側に折りたたむことが出来ない。
【発明の概要】
【発明が解決しようとする課題】
【０００８】
本発明は、上述の課題を受けて開発されたものである。すなわち本発明は、花粉対応が可能で、カバー体を取り付けたまま、テンプル部をスムーズに折りたたむことができる防塵用メガネ体を提供することを目的とする。
【課題を解決するための手段】
【０００９】
本発明者は鋭意検討の結果、カバー体に切り欠き部を形成することにより、カバー体を取り付けたままテンプル部をスムーズに折りたたむことが可能なことを見出した。
本発明はこの知見に基づくものである。
【００１０】
すなわち本発明は（１）、鼻当部１２を有する本体リム部１１とレンズ部１３とテンプル部１４とを備えたメガネ本体部１と、メガネ本体部１に後方から着脱が自在であるカバー体２と、よりなる防塵用メガネ体Ａであって、カバー体２はカバー体リム部２１とカバー体リム部２１の端部から後方に起立するフード部２２を備えており、フード部２２にはテンプル部１４を逃がすための切り欠き部２３が形成されており、鼻当部１２には、カバー体リム部２１の一部を嵌合するための細溝１２ａが形成されている防塵用メガネ体Ａに存する。
【００１１】
本発明は（２）、カバー体リム部２１の一部が細く形成されている上記（１）記載の防塵用メガネ体Ａに存する。
【００１２】
本発明は（３）、本体リム部１１と鼻当部１２とが一体に形成されている上記（１）又は（２）に記載の防塵用メガネ体Ａに存する。
【００１３】
本発明は（４）、メガネ本体部１とカバー体２とが、更に磁着手段Ｍを介して取り付けられている上記（１）〜（３）のいずれか１つに記載の防塵用メガネ体Ａに存する。
【００１４】
本発明は（５）、磁着手段Ｍが本体リム部１１の中央に位置するブリッジ部と両端部の３箇所に設けられている上記（４）記載の防塵用メガネ体Ａに存する。
【００１５】
本発明は（６）、カバー体２が透明となっている上記（１）〜（５）のいずれか１つに記載の防塵用メガネ体Ａに存する。
【発明の効果】
【００１６】
本発明は、鼻当部１２を有する本体リム部１１とレンズ部１３とテンプル部１４とを備えたメガネ本体部１と、メガネ本体部１に後方から着脱が自在であるカバー体２と、よりなる防塵用メガネ体Ａであって、カバー体２はカバー体リム部２１とカバー体リム部２１の端部から後方に起立するフード部２２を備えており、フード部２２にはテンプル部１４を逃がすための切り欠き部２３が形成されており、鼻当部１２には、カバー体リム部２１の一部を嵌合するための細溝１２ａが形成されていることにより、花粉対応ができ、カバー体２を取り付けたままテンプル部１４を内側にスムーズに折りたたむことが可能である。
またカバー体２を確実にメガネ本体部１に固定することが可能である。
またカバー体２が不要な場合には、カバー体２をメガネ本体部１から取り外して、メガネ本体部１のみを通常のメガネ同様に利用することが可能である。
さらに、メガネ本体部１の外側に溝や穴が設けられておらず、カバー体２を取り外した際に通常のメガネと同様の外観を得ることができる。
【００１７】
本発明は、カバー体リム部２１の一部が細く形成されていることにより、当該カバー体リム部２１の一部が、本体リム部１１の細溝１２ａに嵌合し易く、カバー体２のメガネ本体部１への取付操作が容易である。
【００１８】
本発明は、本体リム部１１と鼻当部１２とが一体に形成されていることにより、鼻当部１２の位置が安定し、メガネ本体部１にカバー体２を取り付ける際の位置決めが容易であり、かつカバー体２がメガネ本体部１に確実に固定される。
【００１９】
本発明は、磁着手段Ｍが本体リム部１１の中央に位置するブリッジ部と両端部の３箇所に設けられていることにより、メガネ本体部１にカバー体２がより安定した状態で装着される。
【００２０】
本発明は、カバー体２が透明であることにより、カバー体２が目立たずに、通常のメガネ同様の外観を得ることができる。
【図面の簡単な説明】
【００２１】
【図１】図１は、防塵用メガネ体のメガネ本体部を示す斜視図である。
【図２】図２は、防塵用メガネ体のカバー体を示す斜視図である。
【図３】図３は、メガネ本体部にカバー体を取り付けた状態を示す側面図である。
【図４】図４は、テンプル部の回動を示す説明図である。
【図５】図５は、カバー体における磁着手段の取付位置を示す説明図である。
【図６】図６は、他の実施例に係る鼻当部を示す側面図である。図６（Ａ）は鼻当部の側面図である。図６（Ｂ）は細溝にカバー体の細く形成された部分を嵌合させた側面図である。図６（Ｃ）は別の位置に形成された細溝にカバー体の細く形成された部分を嵌合させた側面図である。
【発明を実施するための形態】
【００２２】
以下、必要に応じて図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。更に、図面の寸法比率は図示の比率に限られるものではない。
【００２３】
本発明の防塵用メガネ体Ａは、メガネ本体部１とカバー体２よりなる。
カバー体２は、後方、すなわちメガネを装着した際の顔側から、メガネ本体部１に対して着脱自在となっている。
これにより、カバー体２が不要な場合には、カバー体２をメガネ本体部１から外して、メガネ本体部１のみを通常のメガネ同様に利用することが可能である。
またメガネ本体部１の外側には、余計な溝や穴が設けられておらず、これによりカバー体２を外した際に通常のメガネと同様の外観を得ることが可能である。
【００２４】
図１は、防塵用メガネ体Ａのメガネ本体部１を示す斜視図である。
メガネ本体部１は、鼻当部１２を有する本体リム部１１とレンズ部１３とテンプル部１４とを備える。
【００２５】
本体リム部１１は、その中央において、後方に起立した一対の鼻当部１２を有する。
鼻当部１２には、後述するカバー体２の一部である、他より細く形成された部分２１ａが嵌合するための細溝１２ａが上下方向に形成されている。
【００２６】
鼻当部１２は別体とするよりも、本体リム部１１と一体に形成することが好ましい。
これにより、鼻当部１２の位置が安定し、後述するように、メガネ本体部１にカバー体２を取り付ける場合の固定が容易となる。
【００２７】
鼻当部１２は、言うまでもなく、防塵用メガネ体Ａの使用時に、使用者の鼻に当接して安定性を担保するためのものである。
この鼻当部１２は、鼻形や皮膚へのフィット性の観点から曲面に形成されており、これに合致するように、細溝１２ａが設けられている。
細溝１２ａが形成されていることにより、カバー体２の一部をこの細溝１２ａに嵌め込んで、確実にメガネ本体部１に固定することが可能である。
【００２８】
一方、テンプル部１４は、本体リム部１１の両端部（いわゆる「ブラケット」或いは「智」）に回動自在に設けられる。
テンプル部１４は通常、本体リム部１１と同一の素材により形成されるが、着用感を向上させるため、耳に当接する部分であるモダン部には特殊な素材を用いることができる。
またレンズ部１３には、使用者の視力に応じ適宜の度入りレンズや、色付きのレンズを採用できる。
【００２９】
以上、説明したメガネ本体部１の材料としては、ポリアミド、ポリエーテルイミド、ボリフェニルサルフォン、ポリカーボネイト等が好ましく採用される。
【００３０】
図２は、防塵用メガネ体Ａのカバー体２を示す斜視図である。
カバー体２は透明性のあるもので、カバー体リム部２１と該カバー体リム部２１の周囲から後方に起立するフード部２２を備える。
【００３１】
カバー体リム部２１は、メガネ本体部１の本体リム部１１と対応する形状に形成されており、またメガネ本体部１のレンズ部１３に対向する部分にはレンズ部１３に対応する形状の対応孔Ｓが設けられている。
いま、メガネ本体部１にカバー体２を取り付けた場合には、本体リム部１１にカバー体リム部２１が当接した状態となる。
防塵用メガネ体Ａを使用する場合は、フード部２２が顔側に対向し目の周囲を覆う状態となる。
そして、カバー体リム部２１の対応孔Ｓからレンズ部１３を介して前方を見ることができる。
ここでフード部２２は透明性があるので、目の周囲を覆っていても視野的に外方を見ることができる。
これにより、使用者の視界が遮られず、カバー体２を取り付けた状態で防塵用メガネ体Ａを快適に利用することが可能である。
【００３２】
カバー体リム部２１は、そのブリッジ付近の一部（すなわち鼻側に位置する部分）が他の部分よりも細く形成されており、上述したメガネ本体部１の細溝１２ａと嵌合することができる。
この部分は、対応孔Ｓを区画する一部であるので弧状となっており、前述したメガネ本体部１の細溝１２もこれに対応するような孤状となっている。
これにより、メガネ本体部１にカバー体２が取り付けられた後は、外れ難い。
また、メガネ本体部１にカバー体２を取り付ける場合、メガネ本体部１のカバー体２に対する位置固定を容易に行うことができる。
【００３３】
ところで、カバー体２のフード部２２には、回動するテンプル部１４を逃がすための切り欠き部２３が前後方向、すなわちフード部２２の起立方向に形成されている。
この切り欠き部２３は、カバー体２をメガネ本体部１に取り付けた際に、テンプル部１４が切り欠き部２３を通過して折り畳む方向に回動できる位置に設けられている。
この切り欠き部２３は、テンプル部１４が通過できる程度の幅を有する。
【００３４】
切り欠き部２３には、さらに外側に向かって突出する鍔部２４が設けられている。
この鍔部２４は、カバー体２をメガネ本体部１に取り付けた際に、テンプル部１４を上下から挟持する。
これにより、カバー体２がメガネ本体部１により支持され、その取り付けが確実なものとなり、強い衝撃を受けた際にも、不用意な脱落を防止することができる。
【００３５】
また、メガネ本体部１にカバー体２を取り付けた状態でテンプル部１４を折り畳む方向に回動させる際には、テンプル部１４は鍔部２４に沿ってスライドする。
すなわち、鍔部２４はテンプル部１４を案内するガイドとして機能するため、これにより、テンプル部１４を回動させてもテンプル部１４の動作がスムーズで且つ安定したものとなる。
【００３６】
ところで本体リム部１１から起立したブラケット（或いは「智」）の突出長さ（Ｌ１）と、カバー体リム部２１から切り欠き部２３の底面までの幅Ｌ２とは、Ｌ１≧Ｌ２の関係を有する（図１、図２参照）。
これにより、メガネ本体部１にフード部２２を取り付けた状態でテンプル部１４を折り畳む場合に、テンプル部１４とフード部２２の干渉が生じず、確実にテンプル部１４を内側へ折り畳むことが可能である。
以上、説明したカバー体２の具体的な材料としては、ポリアミド、ポリカーボネイト等が好ましく採用される。
【００３７】
図３は、メガネ本体部１にカバー体２を取り付けた状態を示す側面図である。
いま、カバー体２をメガネ本体部１に取り付ける際には、カバー体２の切り欠き部２３にメガネ本体部１のテンプル部１４が位置するようにし、メガネ本体部１の後方からカバー体２を挿入して行く。
【００３８】
この際、カバー体リム部２１の両端部はテンプル部１４の内側に沿って案内され、さらにカバー体２の鍔部２４が、前述した通りテンプル部１４を上下から挟持した状態で案内される。
【００３９】
カバー体リム部２１が本体リム部１１に当接するまで、すなわちカバー体２を最終段階まで挿入し、カバー体リム部２１のブリッジ付近の一部（他より細く形成された部分２１a）を、本体リム部１１の鼻当部１２に設けられた細溝１２ａに嵌め込む。
これにより、カバー体２がメガネ本体部１に確実に位置固定される。
【００４０】
このように、カバー体２はメガネ本体部１に対して的確な取り付けができる。
一方、カバー体２をメガネ本体部１に取り付けた状態でも、カバー体２が正面から目立たず、通常のメガネと同様の外観が得られ違和感はない。
【００４１】
カバー体２をメガネ本体部１から取り外す際には、取り付ける場合とは逆に、まず、カバー体リム部２１の細く形成された部分２１aを鼻当部１２の細溝１２ａから抜き外す。
そして、カバー体２の切り欠き部２３の鍔部２４がテンプル部１４に案内されるようにして後方へ引き抜く。
【００４２】
図４は、テンプル部１４の回動を示す説明図である。
防塵用メガネ体Ａの上面図で示す。
なお、矢印Ｘは折り畳み方向、及び矢印Ｙは過回動の方向を示す。
フード部２２に切り欠き部２３が形成されていることにより、メガネ本体部１にカバー体２を取り付けたままテンプル部１４を折り畳む方向に回動する場合、切り欠き部２３がテンプル部１４を逃がすことができ、スムーズに折り畳むことができる。
また、前述したようにブラケット（或いは「智」）の突出長さ（Ｌ１）と、カバー体リム部２１から切り欠き部２３の底面までの幅Ｌ２とが、Ｌ１≧Ｌ２の関係を有することから、確実に折り畳むことができる。
さらに、テンプル部１４が外側へ過回動する場合にも、カバー体２はメガネ本体部１の内側後方から取り付けるものであるため、両者間で全く干渉は生じない。
顔幅の広い使用者にとっては、左右のテンプル部１４の幅に自由度が生じるため、利便性が高い。
【００４３】
ところで、カバー体２とメガネ本体部１との取り付けは確実に行われるものであるが、取り付けの確実性をより高めるために磁着手段Ｍをある位置に設けることも可能である。
図５は、カバー体２における磁着手段Ｍの取付位置を示す説明図である。カバー体２を外側から見た正面図で示す。
メガネ本体部１及びカバー体２には、対応する場所に磁着手段Ｍが設けられる。
具体的には、本体リム部１１の中央に位置するブリッジ部に１箇所、本体リム部１１の両端部に２箇所、の計３箇所と、カバー体リム部２１の本体リム部１１のそれぞれの３箇所に対応する各位置に設けられる。
カバー体２の磁着手段Ｍは、上面から見て斜めに取り付けられ、これに対応するようにメガネ本体部１の磁着手段Ｍも上面から見て斜めに取り付けられる。これにより、横方向への張り出しを抑えるとともに、磁着手段Ｍを平坦に取り付けることができる。また、メガネ本体部１に取り付けられる磁着手段Ｍは、正面から見えない位置に取り付けられ、メガネ本体部１のみを用いる際に、目立つことがない。
磁着手段Ｍは、メガネ本体部１とカバー体２のそれぞれを磁石とすることも、いずれか一方を磁石とし、もう一方を鉄等の磁性を有する金属とすることもできる。
メガネ本体部１に磁性を有する金属を設けた場合には、カバー体２には磁着手段Ｍとして磁石を設ければ足りる。
【００４４】
メガネ本体部１に設けられた磁着手段Ｍと、カバー体２に設けられた磁着手段Ｍがそれぞれ引き合うことにより、メガネ本体部１にカバー体２がより確実に固定される。
【００４５】
以上、本発明の好適な実施形態について説明したが、本発明は上記実施形態に限定されるものではない。
【００４６】
カバー体２をメガネ本体部１よりも大型に設け、メガネ本体部１の前方から取り付けるように設けることができる。この場合、細溝１２ａや磁着手段Ｍの位置を適宜変更することができる。
【００４７】
図６は、他の実施例に係る鼻当部１２を示す側面図である。
図６（Ａ）は鼻当部１２の側面図である。図６（Ｂ）は細溝１２ａにカバー体２の細く形成された部分２１ａを嵌合させた側面図である。（Ｃ）は別の位置に形成された細溝１２ａにカバー体２の細く形成された部分２１ａを嵌合させた側面図である。
細溝１２ａの位置や本数、これに嵌合するカバー体２の形状は、適宜に変更することができる。図６（Ｂ）はカバー体２の細く形成された部分２１ａを、本体リム部１１の側の細溝１２ａに嵌合させた状態を示す側面図である。図６（Ｃ）は、カバー体２の細く形成された部分２１ａを、本体リム部１１と離れた側の細溝１２ａに嵌合させた状態を示す側面図である。
これにより、カバー体２に多少のゆがみがあっても、メガネ本体部１に確実に取り付け固定することができる。
【産業上の利用可能性】
【００４８】
本発明の防塵用メガネ体Ａは、花粉に限らず、ホコリや黄砂、雑菌等の目に対する侵入を防ぐため、日常用の他、実験、工業、医療等の目的のため、幅広く利用できる。
【符号の説明】
【００４９】
Ａ・・・防塵用メガネ体
１・・・メガネ本体部
１１・・・本体リム部
１２・・・鼻当部
１２ａ・・・細溝
１３・・・レンズ部
１４・・・テンプル部
２・・・カバー体
２１・・・カバー体リム部
２１a・・・細く形成された部分
２２・・・フード部
２３・・・切り欠き部
２４・・・鍔部
Ｍ・・・磁着手段
Ｓ・・・対応孔
【図１】
2020067513.tif 000003
【図２】
2020067513.tif 000004
【図３】
2020067513.tif 000005
【図４】
2020067513.tif 000006
【図５】
2020067513.tif 000007
【図６】
2020067513.tif 000008
【手続補正書】
【提出日】平成31年3月7日(2019.3.7)
【手続補正１】
【補正対象書類名】特許請求の範囲
【補正対象項目名】全文
【補正方法】変更
【補正の内容】
【特許請求の範囲】
【請求項１】
鼻当部を一体に有する本体リム部とレンズ部とテンプル部とを備えたメガネ本体部と、該メガネ本体部に後方から着脱が自在であるカバー体と、よりなる防塵用メガネ体であって、該カバー体はカバー体リム部と該カバー体リム部の端部から後方に起立するフード部を備えており、該フード部には前記テンプル部を逃がすための切り欠き部が形成されており、該切り欠き部には、テンプル部の折り畳み方向及び過回動方向の回動を案内するために、ブラケット部とテンプル部の一部を上下から把持するように外側に向かって突出する鍔部がさらに設けられており、前記鼻当部には、前記カバー体リム部の一部を嵌合するための細溝が形成されている防塵用メガネ体。
【請求項２】
前記カバー体リム部の一部が細く形成されている請求項１記載の防塵用メガネ体。
【請求項３】
前記メガネ本体部と前記カバー体とが、更に磁着手段を介して取り付けられている請求項１〜２のいずれか１項に記載の防塵用メガネ体。
【請求項４】
前記磁着手段が前記本体リム部の中央に位置するブリッジ部と両端部の３箇所に設けられている請求項３記載の防塵用メガネ体。
【請求項５】
前記カバー体が透明となっている請求項１〜４のいずれか１項に記載の防塵用メガネ体。
【手続補正２】
【補正対象書類名】明細書
【補正対象項目名】００１０
【補正方法】変更
【補正の内容】
【００１０】
すなわち本発明は（１）、鼻当部１２を一体に有する本体リム部１１とレンズ部１３とテンプル部１４とを備えたメガネ本体部１と、メガネ本体部１に後方から着脱が自在であるカバー体２と、よりなる防塵用メガネ体Ａであって、カバー体２はカバー体リム部２１とカバー体リム部２１の端部から後方に起立するフード部２２を備えており、フード部２２にはテンプル部１４を逃がすための切り欠き部２３が形成されており、切り欠き部２３には、テンプル部１４の折り畳み方向及び過回動方向の回動を案内するために、ブラケット部とテンプル部１４の一部を上下から把持するように外側に向かって突出する鍔部２４がさらに設けられており、鼻当部１２には、前記カバー体リム部２１の一部を嵌合するための細溝が形成されている防塵用メガネ体Ａに存する。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
本発明は（３）、メガネ本体部１とカバー体２とが、更に磁着手段Ｍを介して取り付けられている上記（１）〜（２）のいずれか１つに記載の防塵用メガネ体Ａに存する。
【手続補正５】
【補正対象書類名】明細書
【補正対象項目名】００１４
【補正方法】変更
【補正の内容】
【００１４】
本発明は（４）、磁着手段Ｍが本体リム部１１の中央に位置するブリッジ部と両端部の３箇所に設けられている上記（３）記載の防塵用メガネ体Ａに存する。
【手続補正６】
【補正対象書類名】明細書
【補正対象項目名】００１５
【補正方法】変更
【補正の内容】
【００１５】
本発明は（５）、カバー体２が透明となっている上記（１）〜（４）のいずれか１つに記載の防塵用メガネ体Ａに存する。
【手続補正書】
【提出日】令和1年6月4日(2019.6.4)
【手続補正１】
【補正対象書類名】特許請求の範囲
【補正対象項目名】全文
【補正方法】変更
【補正の内容】
【特許請求の範囲】
【請求項１】
鼻当部を一体に有する本体リム部とレンズ部とテンプル部とを備えたメガネ本体部と、該メガネ本体部に後方から着脱が自在であるカバー体と、よりなる防塵用メガネ体であって、該カバー体はカバー体リム部と該カバー体リム部の端部から後方に起立するフード部を備えており、該フード部には前記テンプル部を逃がすための切り欠き部が形成されており、該切り欠き部には、テンプル部の折り畳み方向及び該折り畳み方向とは逆の過回動方向の回動を案内するために、ブラケット部とテンプル部の各々の一部を上下から把持するように外側に向かって突出する鍔部がさらに設けられており、前記鼻当部には、前記カバー体リム部の一部を嵌合するための細溝が形成されている防塵用メガネ体。
【請求項２】
前記カバー体リム部の一部が細く形成されている請求項１記載の防塵用メガネ体。
【請求項３】
前記メガネ本体部と前記カバー体とが、更に磁着手段を介して取り付けられている請求項１〜２のいずれか１項に記載の防塵用メガネ体。
【請求項４】
前記磁着手段が前記本体リム部の中央に位置するブリッジ部と両端部の３箇所に設けられている請求項３記載の防塵用メガネ体。
【請求項５】
前記カバー体が透明となっている請求項１〜４のいずれか１項に記載の防塵用メガネ体。
【手続補正２】
【補正対象書類名】明細書
【補正対象項目名】００１０
【補正方法】変更
【補正の内容】
【００１０】
すなわち本発明は（１）、鼻当部１２を一体に有する本体リム部１１とレンズ部１３とテンプル部１４とを備えたメガネ本体部１と、メガネ本体部１に後方から着脱が自在であるカバー体２と、よりなる防塵用メガネ体Ａであって、カバー体２はカバー体リム部２１とカバー体リム部２１の端部から後方に起立するフード部２２を備えており、フード部２２にはテンプル部１４を逃がすための切り欠き部２３が形成されており、切り欠き部２３には、テンプル部１４の折り畳み方向及び該折り畳み方向とは逆の過回動方向の回動を案内するために、ブラケット部とテンプル部１４の各々の一部を上下から把持するように外側に向かって突出する鍔部２４がさらに設けられており、鼻当部１２には、前記カバー体リム部２１の一部を嵌合するための細溝が形成されている防塵用メガネ体Ａに存する。